(57)【要約】【課題】簡素な構成で、利用者の入退管理を行うことができる入退管理システム及び入退管理方法を提供する。【解決手段】利用者が所持するＩＣカード１０に記憶された個人識別情報に基づいて、認証処理を行って、管理区域に対する利用者の入退可否を判定する入退管理システムにおいて、ＩＣカード１０に設けられるタッチセンサ１２ａ〜１２ｆと、利用者が触れたタッチセンサ１２ａ〜１２ｆの組み合わせとなるタッチ位置パターンの照合用として使用される照合用タッチ位置パターンが、予め設定登録される設定登録部３１と、個人識別情報に基づいた認証処理に加えて、ＩＣカード１０から送信されたタッチ位置パターンと、設定登録部３１に予め設定登録された照合用タッチ位置パターンとの照合処理を行って、利用者の入退可否を判定する照合部３３とを備える。【選択図】図１
2019105986.tif 000002
【特許請求の範囲】
【請求項１】
利用者が所持する情報記憶媒体に記憶された個人識別情報に基づいて、認証処理を行って、管理区域に対する利用者の入退可否を判定する入退管理システムにおいて、
前記情報記憶媒体に設けられ、利用者に触れられたことを検出する複数のタッチ検出部と、
利用者が触れた前記タッチ検出部の組み合わせとなるタッチ位置パターンの照合用として使用される照合用タッチ位置パターンが、予め設定登録される設定登録部と、
前記個人識別情報に基づいた認証処理に加えて、前記情報記憶媒体から送信された前記タッチ位置パターンと、前記設定登録部に予め設定登録された前記照合用タッチ位置パターンとの照合処理を行って、利用者の入退可否を判定する照合部とを備える
ことを特徴とする入退管理システム。
【請求項２】
前記管理区域に入場するときの前記タッチ位置パターンと、前記管理区域から退場するときの前記タッチ位置パターンとは、前記タッチ検出部の組み合わせが異なる
ことを特徴とする請求項１記載の入退管理システム。
【請求項３】
利用者が所持する情報記憶媒体に記憶された個人識別情報に基づいて、認証処理を行って、管理区域に対する利用者の入退可否を判定する入退管理方法において、
利用者に触れられたことを検出する複数のタッチ検出部を、前記情報記憶媒体に設け、
利用者が触れた前記タッチ検出部の組み合わせとなるタッチ位置パターンの照合用として使用される照合用タッチ位置パターンを、予め設定登録し、
前記個人識別情報に基づいた認証処理に加えて、前記情報記憶媒体から送信された前記タッチ位置パターンと、予め設定登録された前記照合用タッチ位置パターンとの照合処理を行って、利用者の入退可否を判定する
ことを特徴とする入退管理方法。
【発明の詳細な説明】
【技術分野】
【０００１】
この発明は、管理区域に対する利用者の入退可否を判定する入退管理システム及び入退管理方法に関する。
【背景技術】
【０００２】
従来、オフィスビル等の施設管理区域における出入口には、利用者の出入りを管理するためのシステムが適用される場合がある。この入退管理システムにおいては、利用者に対する認証処理に基づいて、利用者の入退可否を判定するようにしている。そして、このような、従来の入退管理システムとしては、例えば、特許文献１に開示されている。
【先行技術文献】
【特許文献】
【０００３】
【特許文献１】特開２０１１−２８３８１号公報
【発明の概要】
【発明が解決しようとする課題】
【０００４】
しかしながら、利用者の出入りを管理するためには、入場用のカードリーダと、退場用のカードリーダとが必要となる。従って、上記従来の入退管理システムにおいては、その構成が複雑になっている。
【０００５】
この発明は、上記課題を解決するものであって、簡素な構成で、利用者の入退管理を行うことができる入退管理システム及び入退管理方法を提供することを目的とする。
【課題を解決するための手段】
【０００６】
この発明に係る入退管理システムは、利用者が所持する情報記憶媒体に記憶された個人識別情報に基づいて、認証処理を行って、管理区域に対する利用者の入退可否を判定する入退管理システムにおいて、情報記憶媒体に設けられ、利用者に触れられたことを検出する複数のタッチ検出部と、利用者が触れたタッチ検出部の組み合わせとなるタッチ位置パターンの照合用として使用される照合用タッチ位置パターンが、予め設定登録される設定登録部と、個人識別情報に基づいた認証処理に加えて、情報記憶媒体から送信されたタッチ位置パターンと、設定登録部に予め設定登録された照合用タッチ位置パターンとの照合処理を行って、利用者の入退可否を判定する照合部とを備えるものである。
【０００７】
この発明に係る入退管理方法は、利用者が所持する情報記憶媒体に記憶された個人識別情報に基づいて、認証処理を行って、管理区域に対する利用者の入退可否を判定する入退管理方法において、利用者に触れられたことを検出する複数のタッチ検出部を、情報記憶媒体に設け、利用者が触れたタッチ検出部の組み合わせとなるタッチ位置パターンの照合用として使用される照合用タッチ位置パターンを、予め設定登録し、個人識別情報に基づいた認証処理に加えて、情報記憶媒体から送信されたタッチ位置パターンと、予め設定登録された照合用タッチ位置パターンとの照合処理を行って、利用者の入退可否を判定するものである。
【発明の効果】
【０００８】
この発明によれば、簡素な構成で、利用者の入退管理を行うことができる。
【図面の簡単な説明】
【０００９】
【図１】この発明の実施の形態１に係る入退管理システムの概略構成を示したブロック図である。
【図２】この発明の実施の形態１に係る入退管理システムに適用されるＩＣカードの外観平面図である。
【図３】ＩＣカードの機能とタッチ位置パターンとの対応関係を示した図である。
【図４】この発明の実施の形態１に係る入退管理システムにおけるタッチ位置パターンの設定登録動作を示したシーケンス図である。
【図５】この発明の実施の形態１に係る入退管理システムにおける利用者の入場動作を示したシーケンス図である。
【発明を実施するための形態】
【００１０】
以下、この発明の実施の形態について図面を参照しながら詳細に説明する。
【００１１】
実施の形態１．
図１は、実施の形態１に係る入退管理システムの概略構成を示したブロック図である。この入退管理システムは、例えば、オフィスビル等の施設管理区域における出入口に適用されるものであって、その施設管理区域に対する利用者の入場及び退場を管理するためのものである。
【００１２】
図１に示すように、入退管理システムは、主な構成として、ＩＣカード１０、カードリーダ２０、及び、サーバ３０を備えている。ＩＣカード１０は、カードリーダ２０に対して、無線通信を利用して、複数種類の情報を送信可能となっている。また、カードリーダ２０とサーバ３０とは、制御バスで接続されており、情報の授受が可能となっている。
【００１３】
ＩＣカード１０は、施設管理区域を利用する複数の利用者が各個人で所持する、非接触式の情報記憶媒体である。このＩＣカード１０は、記憶部１１、複数のタッチセンサ（タッチ検出部）１２、及び、送信部１３を備えている。
【００１４】
記憶部１１には、各利用者を識別するための個人識別情報が、予め記憶されている。個人識別情報は、入場時及び退場時における本人認証を行う際、即ち、入退可否を判定する際に使用される情報である。
【００１５】
タッチセンサ１２は、矩形をなすＩＣカード１０の外周縁部に沿って、複数設けられている。これらのタッチセンサ１２は、利用者に触れられると、それぞれが検出信号を送信部１３に向けて出力する。
【００１６】
なお、図２は、ＩＣカード１０の外観平面図である。図２に示すように、ＩＣカード１０は、例えば、６つのタッチセンサ１２を備えている。各タッチセンサ１２には、Ｎｏ.１〜Ｎｏ.６のセンサ番号が付されている。以下の説明においては、Ｎｏ.１〜Ｎｏ.６タッチセンサ１２を、タッチセンサ１２ａ〜１２ｆとして記載している。
【００１７】
送信部１３は、記憶部１１に予め記憶された情報、及び、タッチセンサ１２ａ〜１２ｆから受け渡された検出信号を、カードリーダ２０に向けて無線送信する機能を有している。つまり、送信部１３は、記憶部１１に予め記憶された個人識別情報を、無線送信する。また、送信部１３は、タッチセンサ１２ａ〜１２ｆのうち、利用者が触れたタッチセンサ１２ａ〜１２ｆの組み合わせを、タッチ位置パターンとして無線送信する。
【００１８】
カードリーダ２０は、利用者の入場及び退場の双方に使用される入退場兼用のカードリーダである。つまり、利用者に対する入場可否及び退場可否の判定は、１つのカードリーダ２０を使用するだけで可能となる。また、カードリーダ２０は、読み取り部２１及び表示部２２を備えている。
【００１９】
読み取り部２１は、ＩＣカード１０が翳されると、この翳し操作を検出し、ＩＣカード１０から無線送信された個人識別情報及びタッチ位置パターンを読み取った後、その読み取った個人識別情報及びタッチ位置パターンをサーバ３０に向けて送信する機能を有している。これにより、読み取り部２１は、ＩＣカード１０における１回の翳し操作だけで、当該ＩＣカード１０から、個人識別情報及びタッチ位置パターンの双方を読み取ることができる。
【００２０】
表示部２２は、カードリーダ２０の動作状況、ＩＣカード１０と読み取り部２１との通信状況、及び、入退可否の判定結果等を、表示する機能を有している。
【００２１】
サーバ３０は、各種データを保管すると共に、システム全体の信号処理を行う機能を有している。このサーバ３０は、設定登録部３１、認証処理部３２、及び、照合部３３を備えている。
【００２２】
設定登録部３１には、認証用識別情報及び照合用タッチ位置パターンが、予め設定登録されている。認証用識別情報は、ＩＣカード１０に記憶された個人識別情報に対応した情報であって、当該個人識別情報の認証時に使用されるものである。また、照合用タッチ位置パターンは、タッチ位置パターンに対応した情報であって、当該タッチ位置パターンの照合時に使用されるものである。更に、照合用タッチ位置パターンは、認証用識別情報に紐付けられて登録されている。
【００２３】
そして、照合用タッチ位置パターンは、入場時照合用タッチ位置パターン、退場時照合用タッチ位置パターン、及び、退室時照合用タッチ位置パターンに分類される。そこで、上述した３種類の照合用タッチ位置パターンについて、図３を用いて説明する。図３は、ＩＣカード１０の機能とタッチ位置パターンとの対応関係を示した図である。
【００２４】
利用者は、施設管理区域への入場時、施設管理区域からの退場時、及び、施設管理区域の室内からの最終退室時に対応して、それぞれ種類が異なるタッチ位置パターンを、予め設定している。つまり、入場時タッチ位置パターン、退場時タッチ位置パターン、及び、最終退室時タッチ位置パターンは、タッチセンサ１２ａ〜１２ｆの組み合わせが互いに異なるタッチ位置パターンとなっている。
【００２５】
例えば、図３に示すように、入場時タッチ位置パターンは、タッチセンサ１２ａ，１２ｄの組み合わせとなっている。また、退場時タッチ位置パターンは、タッチセンサ１２ｃ，１２ｆの組み合わせとなっている。更に、最終退室時タッチ位置パターンは、タッチセンサ１２ｂ，１２ｅの組み合わせとなっている。これに対して、入場時照合用タッチ位置パターン、退場時照合用タッチ位置パターン、及び、退室時照合用タッチ位置パターンは、それら３つのタッチ位置パターンの照合時にそれぞれ使用されるものであって、それらと同じタッチ位置パターンとなっている。
【００２６】
認証処理部３２は、ＩＣカード１０からカードリーダ２０を介して送信された個人識別情報と、設定登録部３１に予め設定登録された認証用識別情報とが、一致しているか否かを判定する認証処理機能を有している。そして、認証処理部３２は、認証処理を行った後、一致していると判定した場合には、照合部３３に対して、照合処理指令を発する一方、一致していないと判定した場合には、その判定結果を表示部２２に向けて送信する。これを受けて、表示部２２は、利用者に対して、通過不可を示す表示を出力する。
【００２７】
照合部３３は、ＩＣカード１０からカードリーダ２０を介して送信されたタッチ位置パターンと、設定登録部３１に予め設定登録された照合用タッチ位置パターンとが、一致しているか否かを判定する照合処理機能を有している。そして、照合部３３は、照合処理を行った後、一致していると判定した場合には、その判定結果を表示部２２に向けて送信する一方、一致していないと判定した場合には、その判定結果を表示部２２に向けて送信する。これを受けて、表示部２２は、利用者に対して、通過許可または通過不可を示す表示を出力する。
【００２８】
次に、実施の形態１に係る入退管理システムにおけるタッチ位置パターンの設定登録動作について、図４を用いて説明する。図４は、実施の形態１に係る入退管理システムにおけるタッチ位置パターンの設定登録動作を示したシーケンス図である。
【００２９】
先ず、ステップＳＴ１１において、サーバ３０は、複数のカードリーダ２０のうち、入退場兼用とするカードリーダ２０を設定する。
【００３０】
次いで、ステップＳＴ１２において、入退場兼用に設定されたカードリーダ２０は、個人識別情報の認証処理を待機する。
【００３１】
そして、ステップＳＴ１３において、利用者は、所持するＩＣカード１０をカードリーダ２０の読み取り部２１に翳す。
【００３２】
次いで、ステップＳＴ１４において、読み取り部２１は、読み取った個人識別情報をサーバ３０の設定登録部３１に向けて送信する。
【００３３】
そして、ステップＳＴ１５において、認証処理部３２は、設定登録部３１に予め設定登録された認証用識別情報と、ＩＣカード１０から送信された個人識別情報とが一致すると判定した後、設定登録部３１は、タッチ位置パターンが未登録であることを確認する。
【００３４】
次いで、ステップＳＴ１６において、設定登録部３１は、カードリーダ２０に対して、タッチ位置パターンの設定登録を指示する。
【００３５】
そして、ステップＳＴ１７において、カードリーダ２０は、タッチ位置パターンの設定登録処理を待機する。
【００３６】
次いで、ステップＳＴ１８において、利用者は、所持するＩＣカード１０のタッチセンサ１２ａ〜１２ｆの中から、所定のタッチセンサに触れた後、そのＩＣカード１０をカードリーダ２０の読み取り部２１に翳す。つまり、タッチ位置パターンは、利用者が所持するＩＣカード１０から読み取り部２１に向けて無線送信される。
【００３７】
例えば、図３に示すように、入場時タッチ位置パターンを設定登録する場合には、利用者は、タッチセンサ１２ａ，１２ｄを触る。また、退場時タッチ位置パターンを設定登録する場合には、利用者は、タッチセンサ１２ｃ，１２ｆを触る。更に、最終退室時タッチ位置パターンを設定登録する場合には、利用者は、タッチセンサ１２ｂ，１２ｅを触る、
【００３８】
次いで、ステップＳＴ１９において、読み取り部２１は、読み取ったタッチ位置パターンを設定登録部３１に向けて送信する。これを受けて、設定登録部３１は、読み取り部２１から送信されたタッチ位置パターンを、照合用のタッチ位置パターンとして設定登録する。また、設定登録部３１は、その設定登録した照合用タッチ位置パターンを、個人識別情報に対応した認証用識別情報に紐付けて記憶する。
【００３９】
次に、実施の形態１に係る入退管理システムにおける利用者の入場動作について、図５を用いて説明する。図５は、実施の形態１に係る入退管理システムにおける利用者の入場動作を示したシーケンス図である。
【００４０】
先ず、ステップＳＴ３１において、サーバ３０は、入退場兼用としたカードリーダ２０に対して、ＩＣカード１０の認証処理、及び、入場時タッチ位置パターンの照合処理を行うように指示する。
【００４１】
次いで、ステップＳＴ３２において、カードリーダ２０は、認証処理及び照合処理を待機する。
【００４２】
そして、ステップＳＴ３３において、利用者は、入場時タッチ位置パターンの組み合わせとなるタッチセンサ１２ａ，１２ｄを触った後、ＩＣカード１０をカードリーダ２０の読み取り部２１に翳す。このように、利用者によるＩＣカード１０の１回の翳し操作によって、記憶部１１に予め記憶された個人識別情報と、翳し操作直前に設定された入場時タッチ位置パターンは、その送信部１３からカードリーダ２０の読み取り部２１に向けて送信される。
【００４３】
次いで、ステップＳＴ３４において、読み取り部２１は、読み取った個人識別情報を、認証処理部３２に向けて送信する。これを受けて、認証処理部３２は、設定登録部３１に予め設定登録された認証用識別情報と、読み取り部２１から受け渡された個人識別情報とが、一致するか否かを判定する。
【００４４】
そして、ステップＳＴ３５において、認証処理部３２は、双方の情報が一致していると判定した場合には、利用者の現在の入退場状態が、入場済み及び退場済みのうち、退場済みであることを確認する。
【００４５】
次いで、ステップＳＴ３６において、認証処理部３２は、読み取り部２１に対して、入場時タッチ位置パターンの送信を指示する。
【００４６】
そして、ステップＳＴ３７において、読み取り部２１は、読み取った入場時タッチ位置パターンを、照合部３３に向けて送信する。これを受けて、照合部３３は、設定登録部３１に予め設定登録された入場時照合用タッチ位置パターンと、読み取り部２１から受け渡された入場時タッチ位置パターンとが、一致するか否かを判定する。
【００４７】
次いで、ステップＳＴ３８において、照合部３３は、双方のタッチ位置パターンが一致していると判定する。
【００４８】
そして、ステップＳＴ３９において、照合部３３は、表示部２２に対して、通過許可とする判定結果を送信する。
【００４９】
次いで、ステップＳＴ４０において、表示部２２は、利用者に対して、通過許可を示す表示を出力する。
【００５０】
また、利用者の退場動については、上述した入場動作と同じ動作となるため省略する。
【００５１】
以上より、実施の形態１に係る入退管理システム及び入退管理方法は、ＩＣカード１０に複数のタッチセンサ１２を設けることにより、複数種類のタッチ位置パターンを設定することができる。これにより、利用者は、１つの施設管理区域に対する入場時及び退場時において、種類が異なるタッチ位置パターンを使い分けすることができる。従って、実施の形態１に係る入退管理システム及び入退管理方法は、カードリーダ２０を１つ設置するだけで、利用者の入退可否を判定することができるため、簡素な構成で、利用者の入退管理を行うことができる。
【００５２】
なお、本願発明は、その発明の範囲内において、実施の形態の任意の構成要素の変形、もしくは、実施の形態の任意の構成要素の省略が可能である。
【符号の説明】
【００５３】
１０  ＩＣカード
１１  記憶部
１２，１２ａ〜１２ｆ  タッチセンサ
１３  送信部
２０  カードリーダ
２１  読み取り部
２２  表示部
３０  サーバ
３１  設定登録部
３２  認証処理部
３３  照合部
【図１】
2019105986.tif 000003
【図２】
2019105986.tif 000004
【図３】
2019105986.tif 000005
【図４】
2019105986.tif 000006
【図５】
2019105986.tif 000007